(57)【要約】      （修正有）【課題】イカ釣り用ヤエンにおいて、イカ掛け針を振り下ろすことで餌魚の上に食い付いたイカをも掛けることを可能にした。【解決手段】釣糸８１に玉８２を固定し結んだ餌魚刺し針８３に刺して投入した餌魚９１にイカ９２が食い付くと、釣糸８１の前部分から前ラセン環２３、伝達ラセン環３４、後ラセン環２５の順に装着し、保持棒１６の後を保持棒支持輪３２で保持し滑降すると、後ラセン環２５の下に一本足としたオモリ支柱２６の下端に主オモリ２７を有することで、重心を後退させて前ラセン環２３に掛かる荷重を軽減して滑降を速くし、玉８２に到達した前ラセン環２３は通り抜け、伝達ラセン環３４は通り抜けが不可能なため伝達部は停止するが支持棒が進むことで、保持棒１６の後を保持した保持棒支持輪３２が離脱し、イカ掛け棒と保持棒とが一体で回動してイカ掛け針１５を振り下ろしてイカ９２が掛かるイカ釣り用振り下ろしヤエンである。【選択図】図２
2010200747.tif 000002
【特許請求の範囲】
【請求項１】
棒状体を縦向きのイカ掛け棒とするとともに上部分を後向きに傾けたイカ掛け斜棒と下端を輪状で穴を左右向きのイカ掛け棒輪とを備え、イカ掛け斜棒の上部分に振り下ろしオモリを固着するとともに、該振り下ろしオモリの直下にイカ掛け針を前向きで針先を下向きに固着したイカ掛け部と、棒状体を前後向きの保持棒とした保持部と、棒状体を縦向きの伝達支柱とするとともに上端を輪状で穴を前後向きの保持棒支持輪と下端を後向きにラセン巻きした伝達ラセン環と中央部分で前向きにラセン巻きしたパイプ固着ラセン環とを備え、管状体を前後向きの伝達パイプとし、該伝達パイプの前部分に伝達オモリを固着するとともに後部分にパイプ固着ラセン環を固着した伝達部と、棒状体を前後向きの支持棒とし、該支持棒の前部分に伝達部に有する伝達パイプを摺動自在に挿通した後に伝達部の作動分を残して前後部分を下向きに屈曲した前を前支柱とし、該前支柱の下端を後向きにラセン巻きした前ラセン環を備え、後を後支柱とし、該後支柱の下端を後向きにラセン巻きした後ラセン環を備え、支持棒の前部分に軸受けを上向きで穴を左右向きに固着した支持部と、後ラセン環のラセンの巻き終わりを下向きに屈曲して一本足のオモリ支柱とし、該オモリ支柱の下端に主オモリを固着した主オモリ部と、軸とで構成し、保持棒の前端をイカ掛け棒輪の上でイカ掛け棒の後面に固着し、軸受けにイカ掛け棒輪を合わせて軸で回動自在に結合して形成することで、前ラセン環、伝達ラセン環、後ラセン環の順に装着し、保持棒の後部分を保持棒支持輪で保持して滑降させると、主オモリを固着したオモリ支柱が後ラセン環の下に有することで、重心が後退し前ラセン環での荷重を軽減し滑降を速くし、到達すると保持棒支持輪が保持棒の後部分から離脱し、軸を芯にイカ掛け棒と保持棒とが一体で回動してイカ掛け針を振り下ろすことを特徴とするイカ釣り用振り下ろしヤエン。
【請求項２】
請求項１記載のイカ釣り用振り下ろしヤエンにおいて、棒状の浮力体で前後向きの浮力棒とし、該浮力棒を支持棒の前部分に固着して形成することで、重心が後退し前ラセン環での荷重を軽減し滑降を速くすることを特徴とするイカ釣り用振り下ろしヤエン。
【請求項３】
請求項１記載のイカ釣り用振り下ろしヤエンにおいて、保持棒を固着した上にイカ掛け棒を残して上下に切り離した上をイカ掛け先棒とし、該イカ掛け先棒の下端を輪状で穴を左右向きのイカ掛け先棒輪を備え、切り離した下をイカ掛け元棒とし、該イカ掛け元棒の上端にキャッチャーを開口が後向きに固着するとともに、該キャッチャーの下に軸受けを後向きで穴を左右向きに固着し、該軸受けにイカ掛け先棒輪を合わせて軸で回動自在に結合して形成し、更に、オモリ支柱の上部分を残して上下に切り離した上をオモリ元支柱とし、該オモリ元支柱の下端にキャッチャーを開口が前向きに固着するとともに、該キャッチャーの上に軸受けを前向きで穴を左右向きに固着し、切り離した下をオモリ先支柱とし、該オモリ先支柱の上端を輪状で穴を左右向きのオモリ先支柱輪を備え、軸受けにオモリ先支柱輪を合わせて軸で回動自在に結合して形成することで、イカ掛け元棒に有する軸受けにイカ掛け先棒輪を合わせて結合した軸を芯にイカ掛け先棒を回動してキャッチャーに挟み、イカ掛け先棒をキャッチャーから外して軸を芯に回動して折りたたみ、更に、オモリ元支柱に有する軸受けにオモリ先支柱輪を合わせて結合した軸を芯にオモリ先支柱を回動してキャッチャーに挟み、オモリ先支柱をキャッチャーから外して軸を芯にオモリ先支柱を回動して折りたたむことを可能にすることを特徴とするイカ釣り用振り下ろしヤエン。
【請求項４】
請求項１記載のイカ釣り用振り下ろしヤエンにおいて、保持棒を固着した上にイカ掛け棒を残して上下に切り離した上をイカ掛け先棒とし、該イカ掛け先棒の下部分を後向きに屈曲した抜け防止ピンを備え、棒状体をしの字形に湾曲した接続ピンとし、該接続ピンの湾曲部分を上向きで長辺を前向きにして短辺をイカ掛け先棒の下端に備えた抜け防止ピンの上で前面に固着し、板状体を縦向きにした前辺を筒状で接続ピンの長辺が挿出入自在の接続筒と後辺の上部分を前向きに湾曲してイカ掛け先棒が掛け外し自在の接続カギとを備えた接続具とし、切り離した下をイカ掛け元棒とし、該イカ掛け元棒の上部分を接続筒の下部分に挿入固着するとともに接続具の下面を保持棒の上面に添わせて固着して形成することで、接続ピンの湾曲部分をたわませて接続カギに掛けたイカ掛け先棒を外し、接続筒の上部分に挿入した接続ピンの長辺を芯にイカ掛け先棒を回動して上向きに抜いて分離し、付け替えるイカ掛け先棒に有する接続ピンの長辺を接続筒の上部分に挿入し、接続ピンの湾曲部分をたわませ接続ピンの長辺を芯にしてイカ掛け先棒を回動し、イカ掛け先棒の下端を接続カギに掛けることで抜け防止ピンも掛かり、接続ピンの長辺が接続筒から抜けることを防いで付け替えることを特徴とするイカ釣り用振り下ろしヤエン。
【請求項５】
請求項１記載のイカ釣り用振り下ろしヤエンにおいて、保持棒を固着した上にイカ掛け棒を残して上下に切り離した上をイカ掛け先棒とし、該イカ掛け先棒に筒状体で穴を縦向きにした上スライド筒を挿通し、切り離した下をイカ掛け元棒とし、該イカ掛け元棒に筒状体で穴を縦向きにした下スライド筒に挿通し、イカ掛け元棒の上端を上スライド筒の外面に固着するとともにイカ掛け先棒の下端を下スライド筒の外面に固着して形成することで、イカ掛け先棒を引き出し押し込むことで、上スライド筒とイカ掛け先棒とが、下スライド筒とイカ掛け元棒とが摺動し、自由な位置で留まることでイカ掛け先棒が伸縮することを特徴とするイカ釣り用振り下ろしヤエン。
【発明の詳細な説明】
【技術分野】
【０００１】
本発明はイカ釣りで使用するヤエンに関し、詳細には、イカ掛け針を振り下ろすことで、餌魚の前部分から上部分に食い付いたイカが掛かるイカ釣り用振り下ろしヤエンに関する。更に、本発明は主オモリを下端に固着したオモリ支柱が支持棒の後部分に有することや支持棒の前部分に浮力棒を有することで、前ラセン環での釣糸の屈曲角度を緩くし滑降を速くしてイカが掛かるイカ釣り用振り下ろしヤエンに関する。更に、本発明はイカ掛け棒を付け替えることや伸縮することで、餌魚の寸法に応じてイカの掛け損じを防ぐイカ釣り用振り下ろしヤエンに関する。更に、本発明は縦で上向きのイカ掛け棒と縦で下向きのオモリ支柱とを折りたたむことで、嵩が小さくなり収納運搬を便利にするイカ釣り用振り下ろしヤエンに関する。
【背景技術】
【０００２】
出願人が所有するイカ掛け針を振り下ろすヤエンは、釣糸に玉を固定し結んだ針に刺して投入した餌魚にイカが食い付くと、保持棒の後を保持棒支持輪で保持し、釣糸に前ラセン環と伝達ラセン環と後ラセン環の順に装着して投入すると、オモリ支柱に固着した主オモリにより姿勢を保ち滑降し、玉が前ラセン環を通り抜け伝達ラセン環を押して伝達パイプを後退させることで、保持棒の後を支えていた保持棒支持輪が離脱し、軸を芯にイカ掛け棒と保持棒とが回動してイカ掛け針を振り下ろして餌魚の上に食い付いたイカが掛かり、支持棒に浮力体を固着することで海中での重量を軽くして滑降を容易にし、イカ掛け棒を折りたたむことで嵩が小さく運搬を楽にするといった特徴をしている（例えば、特許文献１参照）。
【０００３】
しかし、イカ掛け針を振り下ろすことで餌魚の上部分に食い付いたイカが掛かり、浮力体を有することで滑降を容易にし、イカ掛け棒を折りたたむことで運搬を楽にすることは良いが、釣糸に装着し滑降させると進行が遅いことや、釣糸に固定した玉に到達しイカ掛け針を振り下ろしてもイカの掛け損じがあることや、オモリ支柱を折りたたむことが不可能とした問題点があった。
【先行技術文献】
【特許文献】
【０００４】
【特許文献１】特願２００７−３２７１３８号（特許第４１７４７８１号）
【発明の概要】
【発明が解決しようとする課題】
【０００５】
上記従来技術の問題点における原因については、滑降が遅いのは、主オモリを下端に固着したオモリ支柱が支持棒の中央部分にあることで、重心が前寄りとなり前ラセン環で釣糸が屈曲して抵抗を増加する。その結果、滑降を遅くし到達に時間が掛かることや、滑降を途中で停止することも起こりイカが掛かることを困難にする。更に、イカを掛け損じるのは、餌魚の寸法に応じる寸法のイカ掛け棒が必要とするが、該イカ掛け棒の寸法が固定である。その結果、寸法の長い餌魚に食い付いたイカの捕食速度が遅いとイカ掛け針を振り下ろしてもイカが掛かることを難しくする。更に、オモリ支柱を二本足としていることで折りたたむことが不可能である。その結果、嵩が大きく収納運搬を不便にする。
【０００６】
そこで本発明においては、主オモリを下端に固着したオモリ支柱を支持棒の後部分に有することで、重心を後退させ前ラセン環に掛かる荷重を軽減して、前ラセン環での釣糸の屈曲角度を緩くし抵抗を小さくして滑降を速くすることでイカが掛かるイカ釣り用振り下ろしヤエンを提供することを課題とする。更に、イカ掛け棒の寸法が可変できることで、餌魚の寸法に応じてイカの掛け損じを防ぐイカ釣り用振り下ろしヤエンを提供することを課題とする。更に、オモリ支柱を折りたたむことで、嵩を小さくし収納運搬が便利になるイカ釣り用振り下ろしヤエンを提供することを課題とする。
【課題を解決するための手段】
【０００７】
本発明のイカ釣り用振り下ろしヤエンは、上記目的を達成するために、オモリ支柱を支持棒の後部分に有するには、オモリ支柱を一本足とすることで可能にし、オモリ支柱を折りたたむことをも可能にする。更に、イカ掛け棒の寸法を可変するには、イカ掛け棒を付け替えることや伸縮することで可能にする。
【０００８】
それを形にするには、一本足としたオモリ支柱を支持棒の後部分に有するには、後ラセン環のラセンの巻き終わりを下向きに屈曲してなる。
【０００９】
更に、一本足としたオモリ支柱を折りたたむには、後ラセン環の下に有するオモリ支柱の上部分を残して上下に切り離した上をオモリ元支柱とし、該オモリ元支柱の下端にキャッチャーを開口が前向きに固着するとともに、該キャッチャーの上に軸受けを前向きで穴を左右向きに固着する。切り離した下をオモリ先支柱とし、該オモリ先支柱の上端に穴を左右向きのオモリ先支柱輪を備え、軸受けにオモリ先支柱輪を合わせ軸で回動自在に結合してなる。
【００１０】
更に、イカ掛け棒を付け替えるには、保持棒を固着した上にイカ掛け棒を残して上下に切り離した上をイカ掛け先棒とし、該イカ掛け先棒の下部分を後向きに屈曲した抜け防止ピンを備え、しの字形に湾曲した接続ピンとし、該接続ピンの湾曲部分を上向きで長辺を前向きにして短辺をイカ掛け先棒の下端に備えた抜け防止ピンの上で前面に固着する。縦向きで前辺を接続ピンの長辺が挿出入自在の接続筒と後辺の上部分をイカ掛け先棒が掛け外し自在の接続カギとを備えた接続具とする。切り離した下をイカ掛け元棒とし、該イカ掛け元棒の上端を接続筒の下部分に挿入固着するとともに接続具の下面を保持棒の上面に添わせて固着してなる。
【００１１】
更に、イカ掛け棒を伸縮するには、保持棒を固着した上にイカ掛け棒を残して上下に切り離した上をイカ掛け先棒とし、該イカ掛け先棒に上スライド筒を挿通し、切り離した下をイカ掛け元棒とし、該イカ掛け元棒に下スライド筒を挿通したのち、イカ掛け元棒の上端を上スライド筒の外面に固着するとともにイカ掛け先棒の下端を下スライド筒の外面に固着してなる。
【００１２】
そうしたイカ釣り用振り下ろしヤエンを使用するには、釣糸に玉を固定し結んだ餌魚刺し針に刺して投入し沈めた餌魚にイカが食い付くと、釣糸の前部分から前ラセン環、伝達ラセン環、後ラセン環の順に装着し、保持棒の後部分を保持棒支持輪で保持して滑降させると竿を立てて釣糸を張ってイカが掛かるのを待つ。滑降して玉に到達した前ラセン環は通り抜け、伝達ラセン環は玉を通り抜けることが不可能なため伝達部が滑降を停止し、支持棒が伝達パイプを前向きに摺動して保持棒支持輪が保持棒の後部分から離脱し、支持棒の前に有する軸受けにイカ掛け棒輪を合わせて結合した軸を芯にイカ掛け棒と保持棒とが一体で回動してイカ掛け針を振り下ろしてイカが掛かる。釣糸が勢いよく引き出されるとイカが掛かった合図で、やりとりしながら釣糸を巻き取り引き寄せてイカを取り込む。
【００１３】
更に、イカ掛け棒を付け替えるには、接続ピンの湾曲部分をたわませて接続カギに掛けたイカ掛け先棒を外し、接続筒の上部分に挿入した接続ピンの長辺を芯にイカ掛け先棒を回動して上向きに抜いて分離し、付け替える餌魚の寸法に応じる寸法のイカ掛け先棒に有する接続ピンの長辺を接続筒の上部分に挿入し、接続ピンの湾曲部分をたわませ接続ピンの長辺を芯にしてイカ掛け先棒を回動し、イカ掛け先棒の下端を接続カギに掛けることで抜け防止ピンも掛かり、接続ピンの長辺が接続筒から抜けることを防いでなる。
【００１４】
更に、イカ掛け先棒を伸縮するには、イカ掛け先棒を引き出し押し込むことで、上スライド筒とイカ掛け先棒とが、下スライド筒がイカ掛け元棒とが摺動し自由な位置で留まることでなる。
【００１５】
更に、オモリ支柱を組み立て、折りたたむには、オモリ元支柱に有する軸受けにオモリ先支柱輪を合わせて結合した軸を芯にオモリ先支柱を下向きに倒してオモリ元支柱に有するキャッチャーに挟んで組み立て、オモリ先支柱をキャッチャーから外して軸を芯に回動して折りたたむ。
【発明の効果】
【００１６】
本発明によれば、主オモリを固着したオモリ支柱が支持棒の後部分で後ラセン環の下に有することでも滑降を速くし、イカ掛け棒を付け替えるか伸縮させて寸法を可変して餌魚の寸法に応じることでイカの掛け損じを防ぐことで釣果率が上がり、オモリ支柱をも折りたたむことで嵩が小さくなり収納運搬を便利にする。
【図面の簡単な説明】
【００１７】
【図１】本発明のイカ釣り用振り下ろしヤエンの形態を示す斜視図である。
【図２】図１のイカ掛け針を振り下ろしイカが掛かる一実施を示す概念図である。
【図３】図１の支持棒に浮力棒を有する形態を示す斜視図である。
【図４】図１のイカ掛け棒とオモリ支柱とを折りたたむ形態を示す斜視図である。
【図５】図１のイカ掛け棒を付け替える形態を示す斜視図である。
【図６】図１のイカ掛け棒を伸縮する形態を示す斜視図である。
【図７】図４のイカ掛け元棒の周りを示す部分詳細の斜視図である。
【図８】図４の収納時の形態を示す正面図である。
【図９】図５の接続具の周りを示す部分詳細の斜視図である。
【図１０】図５のイカ掛け棒を切り離した形態を示す正面図である。
【発明を実施するための形態】
【００１８】
本発明は、イカ釣りで使用するヤエンにおいて、主オモリ部が後ラセン環の下に有することや、支持棒の前部分に浮力棒を有することで滑降を速くしてイカが掛かり、更に、イカ掛け針を振り下ろすことで餌魚の前部分から上部分に食い付いたイカが掛かり、更に、イカ掛け棒を付け替えるか伸縮することで餌魚の寸法に応じてイカの掛け損じを防ぎ、イカ掛け棒とオモリ支柱とを折りたたむことで嵩が小さくなるイカ釣り用振り下ろしヤエンで、それを図面について説明する。
【００１９】
図１は、本発明のイカ釣り用振り下ろしヤエンの形態を示す斜視図で、棒状体を縦向きのイカ掛け棒１１とするとともに上部分を後向きに傾けたイカ掛け斜棒（イカ掛け斜棒とは、振り下ろしたときに針先を下に向けるための棒）１２と下端を輪状で穴を左右向きのイカ掛け棒輪１３とを備え、イカ掛け斜棒１２の上部分に振り下ろしオモリ（振り下ろしオモリとは、振り下ろしを速くするとともにイカを掛けることを助けるためのオモリ）１４を固着するとともに、該振り下ろしオモリ１４の直下にイカ掛け針（イカ掛け針とは、開いた傘を縦半分にした形に針軸を集合し固着した針）１５を前向きで針先を下向きに固着したイカ掛け部と、棒状体を前後向きの保持棒１６とした保持部と、棒状体を縦向きの伝達支柱３１とするとともに上端を輪状で穴を前後向きの保持棒支持輪３２と下端を後向きにラセン巻きした伝達ラセン環３４と中央部分で前向きにラセン巻きしたパイプ固着ラセン環３３とを備え、管状体を前後向きの伝達パイプ３５とし、該伝達パイプ３５の前部分に伝達オモリ（伝達オモリとは、滑降させたときに海水の抵抗で後退することを防ぐためのオモリ）３６を固着するとともに後部分にパイプ固着ラセン環３３を固着した伝達部と、棒状体を前後向きの支持棒２１とし、該支持棒２１の前部分に伝達部に有する伝達パイプ３５を摺動自在に挿通した後に伝達部の作動分を残して前後部分を下向きに屈曲した前を前支柱２２とし、該前支柱２２の下端を後向きにラセン巻きした前ラセン環２３を備え、後を後支柱２４とし、該後支柱２４の下端を後向きにラセン巻きした後ラセン環２５を備え、支持棒２１の前部分に軸受け（軸受けとは、棒状体の両端を輪にし、該輪を向かい合わせに二つ折りした結合具）２８を上向きで穴を左右向きに固着した支持部と、後ラセン環２５のラセンの巻き終わりを下向きに屈曲した一本足のオモリ支柱（オモリ支柱とは、縦の滑降姿勢を保つための支柱）２６とし、該オモリ支柱２６の下端に主オモリ（主オモリとは、滑降させることと、オモリ支柱とで縦の滑降姿勢を保つためのオモリ）２７を固着した主オモリ部と、軸２９とで構成し、保持棒１６の前端をイカ掛け棒輪１３の上でイカ掛け棒１１の後面に固着し、軸受け２８にイカ掛け棒輪１３を合わせて軸２９で回動自在に結合して形成する。
【００２０】
図２は、図１のイカ掛け針を振り下ろしイカが掛かる一実施を示す概念図で、釣糸８１に玉８２を固定し結んだ餌魚刺し針８３に刺して投入し沈めた餌魚９１にイカ９２が食い付くと、釣糸８１の前部分から前ラセン環２３、伝達ラセン環３４、後ラセン環２５の順に装着し、保持棒１６の後部分を保持棒支持輪３２で保持して滑降させて、玉８２に到達した前ラセン環２３は通り抜け、伝達ラセン環３４は玉８２を通り抜けることが不可能なため伝達部が滑降を停止し、支持棒２１が伝達パイプ３５を前向きに摺動して保持棒支持輪３２が保持した保持棒１６の後部分から離脱し、軸２９を芯にイカ掛け部と保持部とを一体で回動してイカ掛け針１５を振り下ろしイカ９２が掛かる。
【００２１】
図３は、図１の支持棒に浮力棒を有する形態を示す斜視図で、棒状の浮力体で前後向きの浮力棒（浮力棒とは、海中における重量を軽減するための浮力を有する棒）１７とし、該浮力棒１７を支持棒２１の前部分に固着して形成する。
【００２２】
図４は、図１のイカ掛け棒とオモリ支柱とを折りたたむ形態を示す斜視図で、保持棒を固着した上にイカ掛け棒を残して上下に切り離した上をイカ掛け先棒５１とし、該イカ掛け先棒５１の下端を輪状で穴を左右向きのイカ掛け先棒輪５２を備え、切り離した下をイカ掛け元棒５３とし、該イカ掛け元棒５３の上端にキャッチャー（キャッチャーとは、棒状体をオメガ字形とし素材が持つ弾性で挟み、外すことを可能にする接合具）５４を開口が後向きにして固着するとともに、該キャッチャー５４の下に軸受け５５を後向きで穴を左右向きに固着し、該軸受け５５にイカ掛け先棒輪５２を合わせて軸５６で回動自在に結合して形成する。更に、オモリ支柱の上部分を残して上下に切り離した上をオモリ元支柱６３とし、該オモリ元支柱６３の下端にキャッチャー６４を開口が前向きに固着するとともに、該キャッチャー６４の上に軸受け６５を前向きで穴を左右向きに固着し、切り離した下をオモリ先支柱６１とし、該オモリ先支柱６１の上端を輪状で穴を左右向きのオモリ先支柱輪６２を備え、軸受け６５にオモリ先支柱輪６２を合わせて軸６６で回動自在に結合して形成する。
【００２３】
図５は、図１のイカ掛け棒を付け替える形態を示す斜視図で、保持棒を固着した上にイカ掛け棒を残して上下に切り離した上をイカ掛け先棒４１とし、該イカ掛け先棒４１の下部分を後向きに屈曲した抜け防止ピン４２を備え、棒状体をしの字形に湾曲した接続ピン４４とし、該接続ピン４４の湾曲部分を上向きで長辺を前向きにして短辺をイカ掛け先棒４１の下端に備えた抜け防止ピン４２の上で前面に固着し、板状体を縦向きにした前辺を筒状で接続ピン４４の長辺が挿出入自在の接続筒４７と後辺の上部分を前向きに湾曲してイカ掛け先棒４１が掛け外し自在の接続カギ４６とを備えた接続具４５とし、切り離した下をイカ掛け元棒４３とし、該イカ掛け元棒４３の上部分を接続筒４７の下部分に挿入固着するとともに接続具４５の下面を保持棒１６の上面に添わせて固着して形成する。
【００２４】
図６は、図１のイカ掛け棒を伸縮する形態を示す斜視図で、保持棒を固着した上にイカ掛け棒を残して上下に切り離した上をイカ掛け先棒７１とし、該イカ掛け先棒７１に筒状体で穴を縦向きの上スライド筒（スライド筒とは、上下に摺動でき、摩擦抵抗で自由な位置に留まる筒）７２を挿通し、切り離した下をイカ掛け元棒７３とし、該イカ掛け元棒７３に下スライド筒７４を挿通し、イカ掛け元棒７３の上端を上スライド筒７２の外面に固着するとともにイカ掛け先棒７１の下端を下スライド筒７４の外面に固着して形成する。
【００２５】
図７は、図４のイカ掛け元棒の周りを示す部分詳細の斜視図で、支持棒２１の前部分に有する軸受け２８にイカ掛け元棒５３の下端に有するイカ掛け棒輪１３を合わせて軸２９で回動自在に結合し、イカ掛け元棒５３に有する軸受け５５にイカ掛け先棒５１に有するイカ掛け先棒輪５２を合わせて軸５６で回動自在に結合し、イカ掛け元棒５３の上端に有するキャッチャー５４に挟む。
【００２６】
図８は、図４の収納時の形態を示す正面図で、イカ掛け先棒５１をキャッチャー５４から外して、軸５６を芯に後向きに倒し、更に、オモリ先支柱６１をキャッチャー６４から外して、軸６６を芯に前向きに起こす。
【００２７】
図９は、図５の接続具の周りを示す部分詳細の斜視図で、支持棒２１の前部分に有する軸受け２８にイカ掛け元棒４３の下端に有するイカ掛け棒輪１３を合わせて軸２９で回動自在に結合し、イカ掛け元棒４３の上部分を接続具４５の前に備える接続筒４７の下部分に挿入固着し、保持棒１６の前端をイカ掛け元棒４３の後面に固着するとともに接続具４５の下辺を添わせて固着し、イカ掛け先棒４１に有する接続ピン４４の長辺を接続筒４７の上部分に挿入し、接続ピン４４の湾曲部分をたわませ接続筒に挿入した接続ピンの長辺を芯にしてイカ掛け先棒を回動し、イカ掛け先棒４１の下端を接続カギ４６に掛けることで、イカ掛け先棒４１の下端に備えた抜け防止ピン４２も掛かり、接続ピン４４の長辺が接続筒４７から抜けることを防いでなる。
【００２８】
図１０は、図５のイカ掛け棒を切り離した形態を示す正面図で、接続ピン４４の湾曲部分をたわませてイカ掛け先棒４１と抜け防止ピン４２とを接続カギ４６から外し、イカ掛け元棒４３の上端に有する接続具４５に備えた接続筒４７の上部分に挿入した接続ピン４４の長辺を芯にイカ掛け先棒４１を回動して、接続ピン４４の長辺を接続筒４７の上から抜いて分離する。
【００２９】
こうすることで、餌魚を使ってのヤエンによるイカ釣りをする人は、イカが餌魚に食い付くと釣糸を引き出すことで分かるが、直ぐにヤエンを滑降させると餌魚を放すので捕食に夢中になるのを待ってヤエンを滑降させるが、待ち過ぎると餌魚を食い尽されてイカは放れるとしたヤエンを滑降するタイミング、滑降させたヤエンが海底の岩や海藻に掛かることなく、また、イカが餌魚を放すことなくヤエンが到達するかどうか、到達したら竿をあおってイカが掛かるかどうか、失敗するとイカに逃げられるとしたドキドキ感に加え、イカを掛けて取り込んだときの達成感を求めるが、ヤエンが到達したらではなく、ヤエンが到達するとに替えるには難しい判断とともにイカを掛ける技術が必要となる。そこで到達の判断とイカを掛けることとを釣糸に固定した玉が担い、当該ヤエンが玉に到達するとイカ掛け針を振り下ろし餌魚の前部分から上部分に食い付いたイカを高い確率で掛けることで釣果率が上がり、ヤエンでのイカ釣りを楽しくするイカ釣り用振り下ろしヤエン。なお、イカ掛け針を振り下ろすことを前提とし、浮力棒が支持棒の前部分に有すること、イカ掛け棒とオモリ支柱とが折りたためること、イカ掛け棒の付け替えができること、イカ掛け棒が伸縮できることとを個々に説明したが組み合わせることを可能とする。
【符号の説明】
【００３０】
１１    イカ掛け棒
１２    イカ掛け斜棒
１３    イカ掛け棒輪
１４    振り下ろしオモリ
１５    イカ掛け針
１６    保持棒
１７    浮力棒
２１    支持棒
２２    前支柱
２３    前ラセン環
２４    後支柱
２５    後ラセン環
２６    オモリ支柱
２７                主オモリ
２８、５５、６５    軸受け
２９、５６、６６    軸
３１                伝達支柱
３２    保持棒支持輪
３３    パイプ固着ラセン環
３４    伝達ラセン環
３５    伝達パイプ
３６                伝達オモリ
４１、５１、７１    イカ掛け先棒
４２                抜け防止ピン
４３、５３、７３    イカ掛け元棒
４４                接続ピン
４５    接続具
４６    接続カギ
４７    接続筒
５２          イカ掛け先棒輪
５４、６４    キャッチャー
６１          オモリ先支柱
６２    オモリ先支柱輪
６３    オモリ元支柱
７２    上スライド筒
７４    下スライド筒
８１    釣糸
８２    玉
８３    餌魚刺し針
９１    餌魚
９２    イカ
【図１】
2010200747.tif 000003
【図２】
2010200747.tif 000004
【図３】
2010200747.tif 000005
【図４】
2010200747.tif 000006
【図５】
2010200747.tif 000007
【図６】
2010200747.tif 000008
【図７】
2010200747.tif 000009
【図８】
2010200747.tif 000010
【図９】
2010200747.tif 000011
【図１０】
2010200747.tif 000012